(57)【特許請求の範囲】
【請求項１】
遊技盤本体に外レール及び内レールを立設して、打球が流下する遊技部と該遊技部の外側に位置する非遊技部とを区画形成し、遊技機に交換自在に装着する遊技盤であって、
打球を遊技部に誘導するように外レールをほゞ円弧状に配設し、打球発射装置から発射された打球が着弾する着弾点付近の外レールの背面側に空間を形成すると共に、着弾点付近の外レールの遊技盤面に対する起立角度を調整する傾斜調整手段を設け、
前記外レールの基端を、打球発射装置から発射される打球の弾道の近傍に、遊技盤に固定した弾性を有する装着片により止着し、
前記傾斜調整手段は、遊技盤面から起立するように設けられて、ネジ孔を有する支持ボスと、この支持ボスのネジ孔に螺合して遊技盤に向って操作する頭部の径が異なる複数種類の調整ネジと、を備え、
前記複数種類の調整ネジから一つを選択して前記支持ボスに螺合させて、前記調整ネジの頭部で前記装着片を押圧することにより、外レールの取付角度を調整し、打球の軌道を修正可能としたことを特徴とする遊技機の遊技盤。
【発明の詳細な説明】
【０００１】
【発明の属する技術分野】
この発明は、遊技機の遊技盤に関し、特に遊技機本体から遊技盤のみを取り外して交換可能な所謂分離式遊技機の遊技盤において、安定した打球発射を得られるようにした遊技機の遊技盤に関するものである。
【０００２】
【従来の技術】
遊技機の遊技盤において、打球発射装置から発射された打球は、発射レールからファール玉樋を飛び越えて外レールに着弾し、この外レールに導かれて遊技部に飛入する。そして、従来の外レールは、一般に、基端部分を折曲加工して固定釘が通る筒状固定部を形成し、この固定部に通した固定釘をベニア合板からなる遊技盤本体に打ち込んで固定していた。また、従来の外レールは、適宜な間隔で下縁に係止させた割ピンを遊技盤本体に打ち込んで固定していた。
一方、打球をガラス面や遊技盤面に衝突させないで遊技部へ誘導するには、固定した外レールを遊技盤本体に対して所定の角度で起立させなければならない。そこで、従来は、上記した固定釘を側方からハンマー等で叩いて、外レールの取付角度を調整していた。
【０００３】
【発明が解決しようとする課題】
上記外レールの取付角度、即ち、遊技盤面に対する外レールの起立状態は、打球の飛びに微妙に影響するので、所定の角度に調整しなければならない。
しかしながら、この調整は、前記したように固定釘をハンマー等で叩いて行っていたので、熟練技術を必要としていた。また、この調整作業は、狭い作業空間で行わなければならないため、誤って他の部材や組立機械を叩いてしまい、当該遊技盤を使用不能にしたり、組立機械を破損することもあった。
本発明は上記に鑑み提案されたもので、打球を遊技部へ誘導する外レールの取付角度を容易に調整可能な遊技盤を提供することを目的とする。
【０００４】
【課題を解決するための手段】
上記目的を達成するため本発明は、遊技盤本体に外レール及び内レールを立設して、打球が流下する遊技部と該遊技部の外側に位置する非遊技部とを区画形成し、遊技機に交換自在に装着する遊技盤であって、打球を遊技部に誘導するように外レールをほゞ円弧状に配設し、打球発射装置から発射された打球が着弾する着弾点付近の外レールの背面側に空間を形成すると共に、着弾点付近の外レールの遊技盤面に対する起立角度を調整する傾斜調整手段を設け、前記外レールの基端を、打球発射装置から発射される打球の弾道の近傍に、遊技盤に固定した弾性を有する装着片により止着し、前記傾斜調整手段は、遊技盤面から起立するように設けられて、ネジ孔を有する支持ボスと、この支持ボスのネジ孔に螺合して遊技盤に向って操作する頭部の径が異なる複数種類の調整ネジと、を備え、前記複数種類の調整ネジから一つを選択して前記支持ボスに螺合させて、前記調整ネジの頭部で前記装着片を押圧することにより、外レールの取付角度を調整し、打球の軌道を修正可能としたものである。
【０００５】
【発明の実施の形態】
以下、本発明を図示の一実施の形態について説明する。図１は遊技機、即ちパチンコ機１の概略を示す一部を欠截した正面図である。
【０００６】
パチンコ機１は、一般に窓部を有する額縁状の前枠１１の一側を外枠に開閉可能に蝶着し、上記窓部にはガラスを装着したガラス飾り枠１２を開閉可能に軸着し、上記前枠１１及びガラス飾り枠１２を施錠装置１３で施錠する。また、ガラス飾り枠１２の下方部分には、上受皿セット（図示せず）を設け、前枠１１の下方部分には下皿１５１を備える下受皿セット１５を設ける。上記上受皿セットの裏面側に位置するフロントプレート１４には上皿から打球発射装置２へ球を一個宛に供給する球送り装置等が配置してある。一方、上記打球発射装置２はソレノイド２１を駆動源として杵先２２で球発射位置にある球を打ち出す。
【０００７】
上記前枠１１の窓部には、この窓部を塞ぐようにフロントプレート１４に載せて交換可能に構成した遊技盤３を臨ませる。遊技盤３の前面側には後述する外レール３１及び内レール３２を配設してほゞ円形に囲まれる遊技部３３を形成する。また、この遊技部３３内には、可変表示装置４１や変動入賞装置４２等の各種役物、始動口４３や一般入賞口４４、風車４５、或は各種表示灯等、様々な遊技部材を配設し、最下位置にアウト口４６を設ける。更に、外レール３１または内レール３２の外側で右側の上方隅部分には完了表示灯４７を、外レール３１の外側で左側の上方隅部分には賞球表示灯４８を設け、更にガラス飾り枠１２の上部には外部表示灯４９を設ける。
【０００８】
上記下受皿セット１５の前面側には打球発射装置２により遊技部３３に向けて打ち込まれる打球の飛距離を調整するための操作グリップ１６を設ける。また、この下受皿セット１５には、獲得した賞球を貯留しておくための下皿１５１の他、灰皿１５２や球抜きレバー１５３等が設けてある。
【０００９】
上記のような諸装置或いは諸部材を組み付ける前枠１１は、ベニヤ合板等を切削加工して構成してもよいし、合成樹脂を成形して構成してもよい。また、前枠１１をヒンジ装置により蝶着する外枠は、木板等を矩形に枠組したものでも、合成樹脂で構成したものでも、適宜に使用できる。
【００１０】
遊技盤３は、パチンコ機１を構成する主要な部材であって、ベニヤ合板の前面にデザイン画が描かれた図示しないセルシートを一体に結合したほゞ方形の遊技盤本体３４に種々の遊技部材を取り付けて構成する。この遊技盤本体３４は、例えばベニヤ合板を切削加工して形成する。
【００１１】
遊技盤本体３４の前面側には、後述するベース飾り部材３５を添設して打球が流下する遊技部３３と装飾のための非遊技部３３′とを形成する。即ち、遊技者が発射した打球が流下する部分と、打球が飛び出すことがなく、専ら表示及び装飾に用いる部分とに区画する。このため、従来の遊技盤３においては、「ガイドレール」或は「バンド」等と呼ばれる帯状のステンレス板をほゞ円形ないし渦巻状に配置すると共に、割ピンを遊技盤本体３４に打ち込んで固定していた。また、上記ガイドレールの基端には円筒形の止着部を曲折し、この止着部に通した釘を遊技盤面に打ち込んで、ガイドレールの基端を固定していた。
【００１２】
このため、従来のパチンコ機１にあっては、上記ガイドレールを所定の形状に、即ち正しい曲線を描くように、且つ盤面に対して直立するように、固定するのが困難であったばかりではなく、基端部分の取付角度が製品毎に微妙に異なり、打球が正しい軌道に乗らなかったり、飛距離がまちまちになっていた。
【００１３】
そこで、本発明では、ガイドレールを形成する外レール３１の基端に傾斜調整手段５を設けて、外レール３１の基端部分における取付角度を調整可能にしている。また、図示した実施の形態では、ベース飾り部材３５に設けた外レール３１の基端を打球発射装置２から発射される打球の弾道の近傍に止着するための外レール固定金具６に対して上記傾斜調整手段５を設けてユニット化している。
【００１４】
遊技盤本体３４に重合させると共に、外レール３１及び内レール３２を沿わせて打球が流下する遊技部３３と装飾のための非遊技部３３′とを形成するベース飾り部材３５は、遊技盤本体３４とほゞ同形に構成した板状の第１ベース部材と、中央にほゞ円形の空部を備えると共に四隅に前面板部を備える第２ベース部材とから構成してある。
【００１５】
上記第１ベース部材は、光透過性の合成樹脂により一体成形してあり、遊技盤本体３４のデザイン画が透過して見える。また、第１ベース部材の中央部分には、遊技部３３となるほゞ円形の空部を設け、遊技盤本体３４の表面部分が見えるようにする。また、上記空部の周囲に設けた外レール装着部にステンレス製のバンドを装着して外レール３１を形成する。
【００１６】
上記外レール３１の基端部分は、外レール固定金具６によって第１ベース部材に固定されるが、打球発射装置２から弾発された打球が着弾する部分の周辺は、当該外レール３１の背面側が空間になると共に下縁が第１ベース部材と接触することなく自由になっている。
【００１７】
そして、上記第１ベース部材及び第２ベース部材並びに外レール３１は、ベース飾り部材３５としてユニット化してある。また、ベース飾り部材３５の裏面側の適宜位置には位置決めボス３５１を設け、このボス３５１を遊技盤本体３４に設けた位置決め孔３４１に嵌合させて、上記ベース飾り部材３５を位置決めする。
【００１８】
従って、上記ベース飾り部材３５を遊技盤本体３４に重合して取り付ければ、遊技盤３が簡単に組み上がる。そして、本発明に係る傾斜調整手段５も前記ベース飾り部材３５のユニットに組み込まれており、簡単に外レール３１の傾斜角度の調整ができるようになる。
【００１９】
外レール固定金具６は、固定基板として機能するベース飾り部材３５に、裏面側からビス等によって固定する金具であり、外レール３１の基端に設けた止着部を装着する装着片６１を備える。この装着片６１は、図３に示す実施の形態によれば、ほゞＬ字型に曲折した板バネからなり、傾斜調整手段５を構成するためのＬ字型の支持板６２と共に、前記ベース飾り部材３５を挟着するようにネジ６３によって取り付けてある。しかし、装着片６１は、後述するように、外レール固定金具６の取付基板６４を切り起こして形成してもよい。
【００２０】
図３に示す傾斜調整手段５の第１の実施形態は、前記した外レール固定金具６の装着片６１の近傍にＬ字型の支持板６２を設け、この支持板６２のほゞ中央に水平方向に開設したネジ孔（図示せず）に調整ネジ６５を螺合し、この調整ネジ６５を上記装着片６１に向けてねじ込むように構成する。
【００２１】
即ち、外レール固定金具６に固定した装着片６１を、図３に示すように、取付基板６４に対して直角な状態を基準とするとき、装着片６１を予め図中矢印Ｆ方向に所望の角度だけ倒しておけば、板バネの弾性によって常にＦ方向に付勢されることになる。尚、以下、装着片６１即ち外レール３１が遊技盤面に対して直角に起立する状態を「０」、上記矢印Ｆ方向に倒れた状態を「＋」、Ｆ方向と逆の方向に倒れた状態を「−」という。
【００２２】
そこで、＋側にある装着片６１に向けて、調整ネジ６５をねじ込んで行くと、やがて調整ネジ６５の先端が装着片６１に当接し、更にねじ込めば、装着片６１が徐々に起立する。従って、所望の角度になるように調整ネジ６５をねじ込んで、打球の軌道を調整する。尚、基準線である０を越えても、Ｆ方向の付勢が継続するので、調整ネジ６５が緩むことがない。一方、調整ネジ６５は、頭部に六角孔を有するものを使用すれば、六角レンチＷによって調整ネジ６５の直角方向から回すことができ、遊技盤３をパチンコ機１に取り付けた状態でも、遊技盤３の前面側から作業することができる。
【００２３】
図４は、傾斜調整手段５の第２の実施形態を示す。この実施形態は上記した実施形態とほゞ同様の構成を備えるが、支持板６２がベース飾り部材３５に一体に形成してある。また、装着片６１が外レール固定金具６の取付基板６４を切り起こして形成しある。即ち、この実施形態においては、上記ベース飾り部材３５に一体に突設した一対の支持部６２１，６２１の中にナット６２２を装着し、このナット６２２に傾斜調整ネジ６５を螺合させている。
【００２４】
一方、外レール３１の基端を固定する装着片６１は、外レール固定金具６の取付基板６４を切り起こして形成したもので、図示していないが外レール３１の基端に設けたダボが陥入する嵌着孔が開設してある。尚、取付基板６４には取付ビスを通す取付孔や位置決め孔を設ける。また、取付基板６４の下縁の一部にはベース飾り部材３５のベース板部の下縁部分を巻くように屈曲させた屈曲係止片６４１が設けてあり、遊技盤３をフロントプレート１４に載せて設置するときに使用する係止金具の係止リング（図示せず）が係止する。更に、取付基板６４の下縁隅には、遊技盤３をフロントプレート１４に設置した場合に、外レール３１の基端部分との間に生じる隙間を塞ぐように立上り閉止片６４２を設け、この閉止片６４２により怪我をしないように保護キャップを被せている。
【００２５】
この実施形態においても、外レール固定金具６の装着片６１を予め＋側へ傾斜させて付勢し、調整ネジ６５をねじ込むことにより装着片６１が所望の角度になるように起立させている。尚、調整ネジ６５の先端が、前記したダボの裏側に生じる凹部に陥入するようにすると安定して好適である。
【００２６】
図５は、傾斜調整手段５の第３の実施形態を示す。この実施形態では、外レール固定金具６から装着片６１をほゞ９０度に起立させると共に、装着片６１の上端に係止部６１２を形成し、該係止部６１２に係止可能なネジ機構６６を設けている。
【００２７】
ネジ機構６６は、外レール固定金具６或いはベース飾り部材３５に取り付けた支持部材６６１に、頭部６５１が前記装着片６１の係止部６１２に係止可能なように調整ネジ６５を螺合してなる。尚、この調整ネジ６５の先端にはドライバー等の工具が嵌入する係合溝６５２が設けてある。
【００２８】
この実施形態による傾斜調整手段５によって、外レール３１の取付角度を調整するには、装着片６１の起立角度である９０度前後において、調整ネジ６５の係合溝６５２にドライバー或いは専用のツマミＨを係合させて、当該調整ネジ６５を回動させる。すると、調整ネジ６５の頭部６５１が係止部６１２に係合して装着片６１を引き付けるため、外レール３１が＋側に傾く。一方、上記調整ネジ６５を反対方向に回動させれば、当該調整ネジ６５の頭部６５１が装着片６１を押圧して−側に傾斜させる。尚、調整量が少ない場合には、調整ネジ６５が緩む可能性があるので、接着剤等を利用して回り止処置を講じるとよい。
【００２９】
図６は、傾斜調整手段５の第４の実施形態を示す。この実施形態では、テーパー付きワッシャ６７を用いて外レール３１の起立角度を調整している。即ち、外レール固定金具６の装着片６１の近傍に位置するように、ベース飾り部材３５から上下方向のネジ孔３６１を有するボス部３６を突設し、上記ネジ孔３６１にテーパー付きワッシャ６７を介して調整ネジ６５を螺合して、テーパー面６７１が装着片６１の先端に当接するように構成している。
【００３０】
例えば、装着片６１が９０度に起立した０のときに、装着片６１の先端がテーペー面６７１の中間に当接するように設定し、調整ネジ６５を締め込んで行けば−側に傾斜し、緩めれば＋側に傾斜するので、外レール３１の取付角度を容易に調整できる。尚、装着片６１は他の実施形態と同様に予め＋側に付勢してある。
【００３１】
図７は第５の実施形態を示し、この実施形態では、傾斜プレート６８を用いている。即ち、ベース飾り部材３５に、上下方向のネジ孔３７１を有する支持ボス３７を設けると共に、ガイド溝３８１を有するガイドボス３８を突設する。そして、一端に傾斜面６８１を有すると共に、他端にガイド片６８２を有する傾斜プレート６８を、調整ネジ６５によって前記ネジ孔３７１に螺合する。
【００３２】
この実施形態においても、装着片６１を予め＋側に付勢しておき、傾斜面６８１に装着片６１の先端を当接させると共に、ガイド片６８２をガイド溝３８１に嵌入させる。調整ネジ６５をねじ込めば、傾斜プレート６８が下降して装着片６１を押圧するので、装着片６１が−側に倒れ、調整ネジ６５を緩めれば傾斜プレート６８が上昇するので、装着片６１が復帰して＋側に倒れる。
【００３３】
図８は第６の実施形態を示し、この実施形態では、中心からの距離の異なる複数の係止面７１，７２，…を有するカタツムリ状の調整カム７を用いている。即ち、係止面７１，７２，…に、外レール３１の折り返し部分を切り起こして形成した係止片３１１を係止させて、装着片６１を押圧することにより、外レール３１の取付角度を調整している。
【００３４】
例えば、５段階の係止面７１，７２，７３，７４，７５を形成した調整カム７を適用し、中心からの距離が短い係止面７１，７２と係止するときは＋側に傾き、中心からの距離が長い係止面７４，７５に係止するときは−側に傾いて、外レール３１の取付角度を５段階に調整する。
【００３５】
図９は第７の実施形態を示し、この実施形態では、頭部の径の異なる複数の調整ネジ８１，８２，８３，８４，８５によって形成した調整駒８を交換することにより外レール３１の取付角度を調整している。即ち、ベース飾り部材３５に突設した支持ボス３７に、頭部の径の異なる調整ネジ８１，８２，…を螺合し、この調整ネジ８１，８２，…の頭部によって装着片６１を押圧している。例えば、５種類の調整ネジ８１，８２，８３，８４，８５を用意し、中間の大きさの頭部を有する３番の調整ネジ８３を用いたときに外レール３１が９０度に起立して０となるように設定し、＋側に傾斜させたいときは、小径の１番または２番の調整ネジ８１，８２を用い、−側に傾斜させるときは大径の４番または５番の調整ネジ８４，８５を用いる。
【００３６】
図１０は第８の実施形態を示し、この実施形態は、偏心した頭部９１を有する偏心ネジ９を用いたものである。即ち、ネジ部９２の中心に対して偏心した位置に頭部９１を有する偏心ネジ９を、装着片６１の近傍に位置するように遊技盤本体３４に締め込んでおき、この遊技盤本体３４に、ベース飾り部材３５を装着する。そして、偏心ネジ９の頭部９１を外レール３１の装着部分に延設した延設片３１２のカム孔３１３に挿通し、該カム孔３１３と偏心ネジ９の頭部９１とを係止させる。そして、ドライバー等の工具を係合させるために頭部９１に設けたすり割９３の向きが外レール３１とほゞ平行するときに、外レール３１がほゞ９０度に起立するように設定し、偏心ネジ９を図１０に矢印Ｒで示した囲内で回動させて、偏心した頭部９１とカム孔３１３との係止位置によって外レール３１を−側及び＋側に傾斜させる。
【００３７】
上記したような各実施の形態による傾斜調整手段５によれば、何れの形態でも熟練技術を要することなく外レール３１の取付角度を容易に調整することができる。そして、外レール３１の取付角度が正確に調整されると、打球が通路の中央を通り、ガラスに衝突したり、遊技盤面に衝突することがなくなり球飛びが安定する。
【００３８】
以上本発明を図面の実施形態について説明したが、本発明は上記した各実施形態に限定されるものではなく、特許請求の範囲に記載した構成を変更しない限り適宜に実施できる。
【００３９】
【発明の効果】
以上要するに本発明は、遊技盤本体に外レール及び内レールを立設して、打球が流下する遊技部と該遊技部の外側に位置する非遊技部とを区画形成し、遊技機に交換自在に装着する遊技盤であって、打球を遊技部に誘導するように外レールをほゞ円弧状に配設し、打球発射装置から発射された打球が着弾する着弾点付近の外レールの背面側に空間を形成すると共に、着弾点付近の外レールの遊技盤面に対する起立角度を調整する傾斜調整手段を設け、前記外レールの基端を、打球発射装置から発射される打球の弾道の近傍に、遊技盤に固定した弾性を有する装着片により止着し、前記傾斜調整手段は、遊技盤面から起立するように設けられて、ネジ孔を有する支持ボスと、この支持ボスのネジ孔に螺合して遊技盤に向って操作する頭部の径が異なる複数種類の調整ネジと、を備え、前記複数種類の調整ネジから一つを選択して前記支持ボスに螺合させて、前記調整ネジの頭部で前記装着片を押圧することにより、外レールの取付角度を調整し、打球の軌道を修正可能とした。
このため、外レールの取付角度を容易に調整でき、打球が遊技盤面に衝突したり、ガラスに衝突したりすることのない正しい軌道へ打球を導くことができる。また、外レールと傾斜調整手段との位置関係が正確に保たれるので、傾斜調整手段が充分に機能する。更に、傾斜調整手段を含めたユニット化が可能であり、ユニットの位置決めが正確であるので、品質の均一な遊技盤を提供する。
【図面の簡単な説明】
【図１】パチンコ機の概略を示す一部を欠截した正面図である。
【図２】遊技盤の概略を示し、（Ａ）は正面図、（Ｂ）は分解した側面図である。
【図３】傾斜調整手段の実施形態を示し、（Ａ）は平面図、（Ｂ）は矢視Ａにおける断面図である。
【図４】傾斜調整手段の他の実施形態を示し、（Ａ）は平面図、（Ｂ）は矢視Ａにおける断面図である。
【図５】傾斜調整手段の他の実施形態を示し、（Ａ）は平面図、（Ｂ）は矢視Ａにおける断面図である。
【図６】傾斜調整手段の他の実施形態を示す断面図である。
【図７】傾斜調整手段の他の実施形態を示す断面図である。
【図８】傾斜調整手段の他の実施形態を示す断面図である。
【図９】傾斜調整手段の他の実施形態を示す断面図である。
【図１０】傾斜調整手段の他の実施形態を示し、（Ａ）は平面図、（Ｂ）は矢視Ａにおける断面図である。
【符号の説明】
１  パチンコ機
２  打球発射装置
３  遊技盤
５  傾斜調整手段
６  外レール固定金具
７  調整カム
８  調整駒
９  偏心ネジ
３１  外レール
３４  遊技盤本体
３５  ベース飾り部材
６１  装着片
６５  調整ネジ
６６  ネジ機構
６７  テーパー付きワッシャ
６８  傾斜プレート
【図１】
0004100478.tif 000002
【図２】
0004100478.tif 000003
【図３】
0004100478.tif 000004
【図４】
0004100478.tif 000005
【図５】
0004100478.tif 000006
【図６】
0004100478.tif 000007
【図７】
0004100478.tif 000008
【図８】
0004100478.tif 000009
【図９】
0004100478.tif 000010
【図１０】
0004100478.tif 000011